(57)【要約】【課題】ＰＵＳＨ型配信情報に関する情報のユーザへの提示方法を変更可能な携帯端末を提供する。【解決手段】受信したＰＵＳＨ型配信情報それぞれに対するユーザの操作内容を操作履歴情報として操作履歴蓄積部２３に蓄積し、新たにＰＵＳＨ型配信情報を受信した際に、操作履歴蓄積部２３の操作履歴情報のうち、新たに受信した新規ＰＵＳＨ型配信情報と同一または類似のＰＵＳＨ型配信情報に関する操作履歴情報を抽出して、抽出した操作履歴情報に基づいて、当該携帯端末のユーザの操作傾向を取得し、取得した前記操作傾向にしたがって、新規ＰＵＳＨ型配信情報に関する情報の当該携帯端末のユーザに対する提示方法を変更する。操作履歴蓄積部２３に蓄積される操作履歴情報は、ＰＵＳＨ型配信情報の配信元、サブジェクト（タイトル）、配信時間帯、ユーザ初見時の操作内容、初見時間帯、および、閲覧の有無、に関する項目を少なくとも含む。【選択図】        図１
2011082887.tif 000002
【特許請求の範囲】
【請求項１】
ＰＵＳＨ（プッシュ）型で配信されるＰＵＳＨ型配信情報を受信してユーザに提示することができる携帯端末であって、受信したＰＵＳＨ型配信情報それぞれに対するユーザの操作内容を操作履歴情報として蓄積する操作履歴蓄積手段を備え、新たにＰＵＳＨ型配信情報を受信した際に、前記操作履歴蓄積手段に蓄積されている前記操作履歴情報のうち、新たに受信した新規ＰＵＳＨ型配信情報と同一または類似のＰＵＳＨ型配信情報に関する操作履歴情報を抽出して、抽出した前記操作履歴情報に基づいて、当該携帯端末のユーザの操作傾向を取得し、取得した前記操作傾向にしたがって、前記新規ＰＵＳＨ型配信情報に関する情報の当該携帯端末のユーザに対する提示方法を変更することを特徴とする携帯端末。
【請求項２】
前記操作履歴蓄積手段に蓄積する前記操作履歴情報として、前記ＰＵＳＨ型配信情報の配信元、前記ＰＵＳＨ型配信情報の種類を示すサブジェクト、前記ＰＵＳＨ型配信情報の配信時間帯、前記ＰＵＳＨ型配信情報を当該携帯端末のユーザが初見した際の操作内容、前記ＰＵＳＨ型配信情報を当該携帯端末のユーザが初見した時間帯、前記ＰＵＳＨ型配信情報の閲覧の有無、に関する項目を少なくとも含んでいることを特徴とする請求項１に記載の携帯端末。
【請求項３】
前記操作履歴蓄積手段に蓄積する前記操作履歴情報として、前記ＰＵＳＨ型配信情報に含まれるキーワード、前記ＰＵＳＨ型配信情報を当該携帯端末のユーザが初見した際のユーザの存在場所、前記ＰＵＳＨ型配信情報を当該携帯端末のユーザが初見した際のユーザの行動状態、前記ＰＵＳＨ型配信情報の当該携帯端末のユーザの活用状況、のいずれか１ないし複数の項目をさらに含んでいることを特徴とする請求項２に記載の携帯端末。
【請求項４】
前記操作履歴蓄積手段に蓄積する前記操作履歴情報を、受信した前記ＰＵＳＨ型配信情報ごとに１つずつのデータとして構成するか、または、前記ＰＵＳＨ型配信情報およびユーザの操作内容の類似性を考慮して統計処理したデータとして構成するかのいずれかであることを特徴とする請求項１ないし３のいずれかに記載の携帯端末。
【請求項５】
前記操作履歴蓄積手段に蓄積されている前記操作履歴情報のうち、新たに受信した前記新規ＰＵＳＨ型配信情報と同一または類似のＰＵＳＨ型配信情報に対する当該携帯端末のユーザの操作内容ごとに、それぞれの操作回数を算出し、最も多い操作回数の操作内容を、当該携帯端末のユーザの前記操作傾向として取得することを特徴とする請求項１ないし４のいずれかに記載の携帯端末。
【請求項６】
前記操作履歴蓄積手段に蓄積されている前記操作履歴情報のうち、新たに受信した前記新規ＰＵＳＨ型配信情報と同一または類似のＰＵＳＨ型配信情報に対する当該携帯端末のユーザの操作内容ごとに、それぞれの操作回数を算出する際に、前記ＰＵＳＨ型配信情報の類似度に基づいて操作回数に重み付けを行った重み付け操作回数を算出し、前記重み付け操作回数が最も多い操作内容を、当該携帯端末のユーザの前記操作傾向として取得することを特徴とする請求項５に記載の携帯端末。
【請求項７】
前記新規ＰＵＳＨ型配信情報に関する情報の当該携帯端末のユーザに対する前記提示方法として、前記操作履歴情報に基づいて取得した前記操作傾向が、受信した前記ＰＵＳＨ型配信情報を即時に閲覧していた場合、前記新規ＰＵＳＨ型配信情報の受信を示す情報を画面表示するとともに、当該携帯端末を振動させるバイブレーションまたは通知音により前記新規ＰＵＳＨ型配信情報の受信を当該携帯端末のユーザに即時に通知することを特徴とする請求項１ないし６のいずれかに記載の携帯端末。
【請求項８】
前記新規ＰＵＳＨ型配信情報に関する情報の当該携帯端末のユーザに対する前記提示方法として、前記操作履歴情報に基づいて取得した前記操作傾向が、受信した前記ＰＵＳＨ型配信情報を即時に閲覧せずに後刻閲覧していた場合、待ち受け表示画面の未読情報表示エリアの表示を更新し、前記新規ＰＵＳＨ型配信情報を受信したことを表示することを特徴とする請求項１ないし７のいずれかに記載の携帯端末。
【請求項９】
前記新規ＰＵＳＨ型配信情報に関する情報の当該携帯端末のユーザに対する前記提示方法として、前記操作履歴情報に基づいて取得した前記操作傾向が、受信した前記ＰＵＳＨ型配信情報を直ちに削除していた場合、受信した前記新規ＰＵＳＨ型配信情報を即時に削除することを特徴とする請求項１ないし８のいずれかに記載の携帯端末。
【請求項１０】
ＰＵＳＨ（プッシュ）型で配信されるＰＵＳＨ型配信情報を受信してユーザに提示する携帯端末におけるＰＵＳＨ型配信情報受信方法であって、過去に受信したＰＵＳＨ型配信情報それぞれに対するユーザの操作内容を操作履歴情報として蓄積し、新たにＰＵＳＨ型配信情報を受信した際に、蓄積されている過去の前記操作履歴情報のうち、新たに受信した新規ＰＵＳＨ型配信情報と同一または類似のＰＵＳＨ型配信情報に関する操作履歴情報を抽出して、抽出した前記操作履歴情報に基づいて、当該携帯端末のユーザの操作傾向を取得し、取得した前記操作傾向にしたがって、前記新規ＰＵＳＨ型配信情報に関する情報の当該携帯端末のユーザに対する提示方法を変更することを特徴とするＰＵＳＨ型配信情報受信方法。
【請求項１１】
蓄積される前記操作履歴情報として、前記ＰＵＳＨ型配信情報の配信元、前記ＰＵＳＨ型配信情報の種類を示すサブジェクト、前記ＰＵＳＨ型配信情報の配信時間帯、前記ＰＵＳＨ型配信情報を当該携帯端末のユーザが初見した際の操作内容、前記ＰＵＳＨ型配信情報を当該携帯端末のユーザが初見した時間帯、前記ＰＵＳＨ型配信情報の閲覧の有無、に関する項目を少なくとも含んでいることを特徴とする請求項１０に記載のＰＵＳＨ型配信情報受信方法。
【請求項１２】
蓄積される前記操作履歴情報として、前記ＰＵＳＨ型配信情報に含まれるキーワード、前記ＰＵＳＨ型配信情報を当該携帯端末のユーザが初見した際のユーザの存在場所、前記ＰＵＳＨ型配信情報を当該携帯端末のユーザが初見した際のユーザの行動状態、前記ＰＵＳＨ型配信情報の当該携帯端末のユーザの活用状況、のいずれか１ないし複数の項目をさらに含んでいることを特徴とする請求項１１に記載のＰＵＳＨ型配信情報受信方法。
【請求項１３】
蓄積される前記操作履歴情報を、受信した前記ＰＵＳＨ型配信情報ごとに１つずつのデータとして構成するか、または、前記ＰＵＳＨ型配信情報およびユーザの操作内容の類似性を考慮して統計処理したデータとして構成するかのいずれかであることを特徴とする請求項１０ないし１２のいずれかに記載の携帯端末。
【請求項１４】
蓄積されている前記操作履歴情報のうち、新たに受信した前記新規ＰＵＳＨ型配信情報と同一または類似のＰＵＳＨ型配信情報に対する当該携帯端末のユーザの操作内容ごとに、それぞれの操作回数を算出し、最も多い操作回数の操作内容を、当該携帯端末のユーザの前記操作傾向として取得することを特徴とする請求項１０ないし１３のいずれかに記載のＰＵＳＨ型配信情報受信方法。
【請求項１５】
蓄積されている前記操作履歴情報のうち、新たに受信した前記新規ＰＵＳＨ型配信情報と同一または類似のＰＵＳＨ型配信情報に対する当該携帯端末のユーザの操作内容ごとに、それぞれの操作回数を算出する際に、前記ＰＵＳＨ型配信情報の類似度に基づいて操作回数に重み付けを行った重み付け操作回数を算出し、前記重み付け操作回数が最も多い操作内容を、当該携帯端末のユーザの前記操作傾向として取得することを特徴とする請求項１４に記載のＰＵＳＨ型配信情報受信方法。
【請求項１６】
前記新規ＰＵＳＨ型配信情報に関する情報の当該携帯端末のユーザに対する前記提示方法として、前記操作履歴情報に基づいて取得した前記操作傾向が、受信した前記ＰＵＳＨ型配信情報を即時に閲覧していた場合、前記新規ＰＵＳＨ型配信情報の受信を示す情報を画面表示するとともに、当該携帯端末を振動させるバイブレーションまたは通知音により前記新規ＰＵＳＨ型配信情報の受信を当該携帯端末のユーザに即時に通知することを特徴とする請求項１０ないし１５のいずれかに記載のＰＵＳＨ型配信情報受信方法。
【請求項１７】
前記新規ＰＵＳＨ型配信情報に関する情報の当該携帯端末のユーザに対する前記提示方法として、前記操作履歴情報に基づいて取得した前記操作傾向が、受信した前記ＰＵＳＨ型配信情報を即時に閲覧せずに後刻閲覧していた場合、待ち受け表示画面の未読情報表示エリアの表示を更新し、前記新規ＰＵＳＨ型配信情報を受信したことを表示することを特徴とする請求項１０ないし１６のいずれかに記載のＰＵＳＨ型配信情報受信方法。
【請求項１８】
前記新規ＰＵＳＨ型配信情報に関する情報の当該携帯端末のユーザに対する前記提示方法として、前記操作履歴情報に基づいて取得した前記操作傾向が、受信した前記ＰＵＳＨ型配信情報を直ちに削除していた場合、受信した前記新規ＰＵＳＨ型配信情報を即時に削除することを特徴とする請求項１０ないし１７のいずれかに記載のＰＵＳＨ型配信情報受信方法。
【請求項１９】
請求項１０ないし１８のいずれかに記載のＰＵＳＨ型配信情報受信方法を、コンピュータによって実行可能なプログラムとして実施していることを特徴とするＰＵＳＨ型配信情報受信プログラム。
【請求項２０】
請求項１９に記載のＰＵＳＨ型配信情報受信プログラムを、コンピュータによって読み取り可能な記録媒体に記録していることを特徴とするプログラム記録媒体。
【発明の詳細な説明】
【技術分野】
【０００１】
本発明は、携帯端末、ＰＵＳＨ型配信情報受信方法、ＰＵＳＨ型配信情報受信プログラムおよびプログラム記録媒体に関する。
【背景技術】
【０００２】
近年、インターネットの普及に伴い、携帯電話装置等の携帯端末に対しても、インターネットのＷＥＢサイト等から各種の情報（例えば、広告・通知などの情報）が、いわゆるＰＵＳＨ（プッシュ）型で情報が配信されるＰＵＳＨ型情報配信サービスとして、メール形式やメッセージ通報形式で配信されてくるようになってきている。一般に、携帯電話装置等の携帯端末に、メールマガジンやメッセージ配信等のＰＵＳＨ型の情報配信サービスを登録した場合、当該携帯電話装置等の携帯端末は、多くのＰＵＳＨ型配信情報を、定期的にまたは不定期に受信することが可能な状態になっている。
【０００３】
豊富なＰＵＳＨ型配信情報を受信することにより、ユーザが所望する情報を入手し易くなる一方、ユーザが不要とする配信情報が含まれていたり、あるいは、ユーザが必要とする配信情報であっても、配信情報の種類や受信時のユーザの状況によっては現時点では閲覧したくなかったりする場合も生じる。このため、ＰＵＳＨ型の情報配信サービスを登録した場合、受信した大量のＰＵＳＨ型配信情報の中から、ユーザが現時点で閲覧したい配信情報を見つけ出すためのユーザの作業は、負担が大きいものになってきている。
【０００４】
かかる問題を解決するために、特許文献１の特開２００３−２３３６１６号公報「提供情報提示装置および情報提供装置」においては、ＰＵＳＨ型の情報配信サービスとして配信する情報にキャラクタ画像を付加して、情報とともに該キャラクタもユーザに対して提示することにより、配信情報の種類をユーザが視認し易くする技術を提案している。
【先行技術文献】
【特許文献】
【０００５】
【特許文献１】特開２００３−２３３６１６号公報（第７−８頁）
【発明の概要】
【発明が解決しようとする課題】
【０００６】
前記特許文献１に記載の技術により、ＰＵＳＨ型配信情報を受信する携帯電話装置等の携帯端末のユーザは、キャラクタ画像を参照することにより受信した配信情報の種類を把握することが容易になり、必要とする情報を抽出する作業負担を確実に軽減することができる。しかしながら、ユーザは、配信情報の如何によらず、また、ユーザの現在の状況の如何によらず、受信した配信情報のそれぞれについて逐一表示させて、付加されているキャラクタを確認する操作を行うことが必要であり、まだ、ユーザの作業負担は大きい。したがって、ＰＵＳＨ型配信情報を受信する携帯電話装置等の携帯端末としては、依然として、次のような課題が存在している。
【０００７】
第１の課題は、配信されてくるＰＵＳＨ型配信情報ごとに、画面表示の有無も含めて、ユーザにとっての優先度が変わることに対応できていないことである。
【０００８】
第２の課題は、ユーザの状況（時間帯、存在場所等）によって、配信されてくるＰＵＳＨ型配信情報に対する優先度が変わることにも対応できていないことである。
【０００９】
本発明は、かかる事情に鑑みてなされたものであり、その目的とするところは、過去のＰＵＳＨ型配信情報に対するユーザの操作傾向を参照することにより、配信されてくるＰＵＳＨ型配信情報の種類や該ＰＵＳＨ型配信情報を受信する携帯端末のユーザの状況に応じて、配信されてくるＰＵＳＨ型配信情報に関するユーザへの提示方法を変更することを可能とする携帯端末、ＰＵＳＨ型配信情報受信方法、ＰＵＳＨ型配信情報受信プログラムおよびプログラム記録媒体を提供することにある。
【課題を解決するための手段】
【００１０】
前述の課題を解決するため、本発明による携帯端末は、次のような特徴的な構成を採用している。
【００１１】
（１）ＰＵＳＨ（プッシュ）型で配信されるＰＵＳＨ型配信情報を受信してユーザに提示することができる携帯端末であって、受信したＰＵＳＨ型配信情報それぞれに対するユーザの操作内容を操作履歴情報として蓄積する操作履歴蓄積手段を備え、新たにＰＵＳＨ型配信情報を受信した際に、前記操作履歴蓄積手段に蓄積されている前記操作履歴情報のうち、新たに受信した新規ＰＵＳＨ型配信情報と同一または類似のＰＵＳＨ型配信情報に関する操作履歴情報を抽出して、抽出した前記操作履歴情報に基づいて、当該携帯端末のユーザの操作傾向を取得し、取得した前記操作傾向にしたがって、前記新規ＰＵＳＨ型配信情報に関する情報の当該携帯端末のユーザに対する提示方法を変更する携帯端末。
【発明の効果】
【００１２】
本発明の携帯端末、ＰＵＳＨ型配信情報受信方法、ＰＵＳＨ型配信情報受信プログラムおよびプログラム記録媒体によれば、以下のような効果を奏することができる。
【００１３】
第１の効果は、ＰＵＳＨ型配信情報（広告、通知などの情報）の種類ごとに、ユーザにとっての優先度が異なるＰＵＳＨ型配信サービスにおいて、過去における同一情報または類似情報に対する当該ユーザの操作内容に応じて、ＰＵＳＨ型配信情報受信時のユーザに対する通知方法を自動的に変更することによって、ユーザの負担を軽減することができることである。
【００１４】
第２の効果は、ＰＵＳＨ型配信情報の受信時の通知方法の選定に際し、受信時の時間帯、ユーザが存在している場所、ユーザの行動状態（移動中、仕事中など）などのような、ユーザが置かれている状況を加味して、ＰＵＳＨ型配信情報受信時のユーザに対する通知方法を自動的に変更することによって、ユーザの負担をより確実に軽減させることができることである。
【図面の簡単な説明】
【００１５】
【図１】本発明による携帯端末の一例である携帯電話装置の構成例を示す説明図である。
【図２】図１に示す携帯電話装置の操作履歴蓄積部に蓄積される操作履歴情報の一例を示すテーブルである。
【図３】図１に示す携帯電話装置の動作の一例を説明するためのフローチャートである。
【発明を実施するための形態】
【００１６】
以下、本発明による携帯端末、ＰＵＳＨ型配信情報受信方法、ＰＵＳＨ型配信情報受信プログラムおよびプログラム記録媒体の好適な実施例について添付図を参照して説明する。なお、以下の説明においては、本発明による携帯端末およびＰＵＳＨ型配信情報受信方法について説明するが、かかるＰＵＳＨ型配信情報受信方法をコンピュータにより実行可能なＰＵＳＨ型配信情報受信プログラムとして実施するようにしても良いし、あるいは、ＰＵＳＨ型配信情報受信プログラムをコンピュータにより読み取り可能な記録媒体に記録するようにしても良いことは言うまでもない。
【００１７】
なお、本発明による携帯端末は、ＰＵＳＨ型の配信情報を受信することができる端末であれば、如何なる端末であっても良い。例えば、携帯電話装置であっても良いし、ＰＨＳ（Personal Handy-phone System）端末、ＰＤＡ（Personal Digital Assistants）機器、携帯型ノートＰＣ（Personal Computer）、携帯型音声端末であっても良い。
【００１８】
（本発明の特徴）
本発明の実施形態に説明に先立って、本発明の特徴についてその概要をまず説明する。本発明は、携帯電話装置等の携帯端末において、配信されてくるＰＵＳＨ型の配信情報（例えば、広告・通知などの情報）について、過去に受信した同一または類似の配信情報に対してユーザが採った操作傾向を参照することにより、各ＰＵＳＨ型配信情報の受信時における動作を決定して、受信した各ＰＵＳＨ型配信情報に関するユーザへの提示方法を変更することができる機能を有していることを特徴としている。
【００１９】
例えば、或る種類のＰＵＳＨ型配信情報について、過去に受信した同一または類似の配信情報に対するユーザの操作傾向として、ユーザが会社にいる時間帯では必要とせず（閲覧せず）、退社後の時間帯で閲覧しているという傾向がある場合には、当該ＰＵＳＨ型配信情報を受信した携帯端末は、当該ＰＵＳＨ型配信情報を受信した時点では即時に表示を行うことなく、当該ＰＵＳＨ型配信情報の受信表示を、夜などのユーザが退社後の時間帯で行うなど、ユーザの情報利用傾向に合わせて提示方法を変更する機能を提供することを特徴としている。
【００２０】
（本発明の実施形態の構成例）
次に、本発明による携帯端末の実施形態の一例について、携帯電話装置を例にとって以下に説明する。図１は、本発明による携帯端末の一例である携帯電話装置の構成例を示す説明図であり、図１（Ａ）は、携帯電話装置の正面外観の一例を示し、図１（Ｂ）は、携帯電話装置の内部構成の一例を示している。
【００２１】
図１（Ａ）の正面外観図に示すように、携帯電話装置１は、正面には、受信したＰＵＳＨ型配信情報に関する情報等の各種情報を表示してユーザに提示する液晶パネル２、受信したＰＵＳＨ型配信情報の閲覧指示など各種の指示をユーザが入力するための操作キー３を備えており、上面には、無線基地局との間で通信用の無線信号を送受信するアンテナ４が備えられている。
【００２２】
また、携帯電話装置１の内部には、図１（Ｂ）に示すように、配信情報受信処理部２１、受信時動作制御部２２、操作履歴蓄積部２３、無線処理部２４、ＵＩ部２５、制御部２６の各機能ブロックを少なくとも備えている。
【００２３】
図１（Ｂ）において、配信情報受信処理部２１は、無線処理部２４が受信した受信信号の中から制御部２６により抽出されたＰＵＳＨ型配信情報を処理する部位である。配信情報を受信した配信情報受信処理部２１は、受信時動作制御部２２に対して、受信した当該配信情報に対する受信動作の問合せを行う。また、配信情報受信処理部２１は、受信時動作制御部２２が決定した受信動作に従い、ＵＩ部２５に対して配信情報に関する情報のユーザへの提示を要求する。
【００２４】
受信時動作制御部２２は、配信情報受信処理部２１から受信した配信情報に対する受信動作の問合せを受け付けると、今回のＰＵＳＨ型配信情報と同一の配信情報または類似した配信情報に対して、ユーザが過去に操作した履歴情報を、操作履歴蓄積部２３の中から検索し、同一または類似の配信情報を受信した際の過去のユーザの操作傾向を、今回の配信情報に対する受信動作として決定し、決定した受信動作を配信情報受信処理部２１へ返送する。
【００２５】
例えば、過去の同一または類似の配信情報に対するユーザの操作傾向として、受信した配信情報を即時に閲覧し、かつ、配信情報内にインターネットのＵＲＬ（Unique Resource Locator）情報が含まれていた場合に、該ＵＲＬ情報からブラウザなど他の機能を起動する頻度が高いという傾向であれば、今回受信したＰＵＳＨ型配信情報についても、同様の受信動作を行わせるために、ＰＵＳＨ型配信情報を一旦保存するとともに、ＵＩ部２５を介して、ＰＵＳＨ型配信情報を受信した旨を液晶パネル２に画面表示し、また、バイブレーションや通知音などを用いて、ＰＵＳＨ型配信情報の受信の旨をユーザへ直ちに通知する動作を選択する。
【００２６】
また、過去の同一または類似の配信情報に対するユーザの操作傾向として、例えば、配信情報を受信した時間帯では、配信情報の内容を直ちに確認する動作を行わずに、別の時間帯で確認する頻度が高いという傾向であれば、今回受信したＰＵＳＨ型配信情報についても、同様の受信動作を行わせるために、ユーザに対して、バイブレーションや通知音などを用いた即時の通知は行わずに、今回の配信情報を一旦保存し、液晶パネル２の待ち受け画面の未読情報表示エリア（未読メッセージ数などを表示するエリア）に対する表示更新のみの動作を選択する。なお、かかる場合には、未読情報表示エリアに対する表示更新を行うタイミングそのものについても、後刻の時間帯としてあらかじめ定めた時刻に達した時点でまたは過去の操作履歴情報に基づいて得られる時刻に達した時点で、未読情報表示エリアの表示を更新するようにしても良い。
【００２７】
また、操作履歴蓄積部２３は、ＰＵＳＨ型配信情報に対するユーザの操作履歴を操作履歴情報として順次蓄積し、受信時動作制御部２２からの検索要求に応じて、蓄積している操作履歴情報を検索して検索結果を出力する。操作履歴蓄積部２３に蓄積される操作履歴情報は、１件ごとのデータでも良いし、類似性を示す属性ごとに統計的に処理したデータであっても良い。操作履歴蓄積部２３に蓄積される操作履歴情報の例を図２に示す。図２は、図１に示す携帯電話装置１の操作履歴蓄積部２３に蓄積される操作履歴情報の一例を示すテーブルであり、第１操作履歴情報４１、第２操作履歴情報４２、…、第７操作履歴情報４７、…に示すように、各ＰＵＳＨ型配信情報に対するユーザの操作内容を、１件ごとに、蓄積している例を示している。
【００２８】
図２に示すように、操作履歴蓄積部２３に蓄積される操作履歴情報は、ＰＵＳＨ型配信情報の配信元３１、ＰＵＳＨ型配信情報のタイトルに相当するサブジェクト３２、ＰＵＳＨ型配信情報が配信されてきた配信時間帯３３、受信したＰＵＳＨ型配信情報を初見したユーザの操作内容を示す初見時ユーザ操作内容３４、受信したＰＵＳＨ型配信情報をユーザが初見した時間帯を示す初見時間帯３５、受信したＰＵＳＨ型配信情報のユーザの閲覧有無３６、などを少なくとも含んで構成されている。
【００２９】
例えば、操作履歴蓄積部２３に蓄積される操作履歴情報は、図２の最初の操作履歴情報として蓄積されている第１操作履歴情報４１においては、ＰＵＳＨ型配信情報の配信元３１が“Ａ”、ＰＵＳＨ型配信情報のサブジェクト３２が“電車遅延”、ＰＵＳＨ型配信情報の配信時間帯３３が“平日・朝”、ＰＵＳＨ型配信情報初見時のユーザの行動を示す初見時ユーザ操作内容３４が“閲覧→ブラウザ起動”、ＰＵＳＨ型配信情報初見時の時間帯を示す初見時間帯３５が“平日・朝”、ユーザの閲覧有無３６が“有”である旨が蓄積されている。つまり、第１操作履歴情報４１におけるＰＵＳＨ型配信情報は、通勤時間帯の平日の朝に発生した交通情報（電車遅延情報）であるので、出勤直前のユーザは、当該ＰＵＳＨ型配信情報を即時に閲覧するとともに、ブラウザを起動して詳細情報を把握しようとしている例を示している。
【００３０】
また、図２の第２番目の操作履歴情報として蓄積されている第２操作履歴情報４２においては、第１操作履歴情報４１におけるＰＵＳＨ型配信情報と同様に、配信情報のサブジェクト３２が“電車遅延”という交通情報（電車遅延情報）ではあるものの、配信時間帯３３が“平日・昼”と、通勤時間帯ではないので、ユーザは、閲覧有無３６が“有”に示すように、閲覧はしたものの、初見時ユーザ操作内容３４が“無”であり、ユーザは詳細を把握するためにブラウザを起動するような操作は行っていない状態を示している。
【００３１】
また、図１（Ｂ）の無線処理部２４は、アンテナ４を介して、携帯電話網の無線基地局との間で送受信される無線信号を処理することにより、携帯電話網との間の通信処理を行う。また、図１（Ｂ）のＵＩ部２５は、携帯電話装置１のユーザとの間のインタフェースを司る部位であり、液晶表示装置(Liquid Crystal Display)を構成する液晶パネル２に受信した配信情報などの各種情報を表示してユーザに提示したり、ユーザによる操作キー３の操作結果を取り込んだり、スピーカーから音声情報を出力したり、発生したイベントに応じてバイブレータにより携帯電話装置１を振動させてユーザに通報したりするなど、ユーザに対するＵＩ（User Interface：ユーザインタフェース）を提供する。また、制御部２６は、携帯電話装置１の各部位を制御する部位であり、携帯電話装置１全体の動作を制御している。
【００３２】
なお、図１に示す携帯電話装置１の処理機能として、ＰＵＳＨ型配信情報の受信処理やＰＵＳＨ型配信情報の閲覧処理、あるいは、ＰＵＳＨ型配信情報の受信を契機にしてユーザが行った操作に伴う処理（ブラウザ・スケジューラ・メールなどにおける処理）等を司る機能を有しているが、これらの各処理機能の詳細については、本発明とは直接関係していないので、ここでの詳細な説明は省略する。
【００３３】
（実施形態の動作の説明）
次に、本発明による携帯端末の一例として図１に示した携帯電話装置１のＰＵＳＨ型配信情報の受信時の動作について、その一例を、図３に示すフローチャートを用いてさらに説明する。図３は、図１に示す携帯電話装置１の動作の一例を説明するためのフローチャートであり、メール処理機能を起動する操作を行った際に、ＰＵＳＨ型受信情報を受信した場合の携帯電話装置１の動作の一例を示している。
【００３４】
なお、図３に示すフローチャートにおいて、ステップＳ１からステップＳ５までは、ＰＵＳＨ型配信情報を受信して、受信したＰＵＳＨ型配信情報の種類（配信元、サブジェクトなど）や配信時間帯等に応じて決定される受信動作にしたがって、受信したＰＵＳＨ型配信情報に関する情報を液晶パネル２に表示したり、音声やバイブレーションを出力したりすることにより、ユーザに提示するまでの、ＰＵＳＨ型配信情報の受信処理の一例を示している。また、ステップＳ６からステップＳ７までは、決定したＰＵＳＨ型配信情報の受信動作にしたがって、ユーザに提示したＰＵＳＨ型配信情報に関する情報に基づいて、ユーザが操作した結果を当該ＰＵＳＨ型配信情報に関する操作履歴情報として蓄積するまでの、操作履歴情報記録処理の一例を示している。
【００３５】
図３に示すフローチャートにおいて、まず、携帯電話装置１の配信情報受信処理部２１は、無線処理部２４を介して、ＰＵＳＨ型配信情報を受信したか否かを確認しており、ＰＵＳＨ型配信情報を受信したことを検出した場合、次のステップＳ２に移行する（ステップＳ１）。
【００３６】
次いで、ＰＵＳＨ型配信情報を受信した配信情報受信処理部２１は、受信したＰＵＳＨ型配信情報に対して如何なる動作を行うべきかを受信時動作制御部２２に対して問合せる（ステップＳ２）。
【００３７】
配信情報受信処理部２１からの問合せを受け取った受信時動作制御部２２は、配信情報受信処理部２１が今回受信したＰＵＳＨ型配信情報と同一または類似のＰＵＳＨ型配信情報が過去に存在していたか否かを、操作履歴蓄積部２３内に蓄積されている図２の操作履歴情報の配信先３１、サブジェクト３２、配信時間帯３３に基づいて検索する。今回受信したＰＵＳＨ型配信情報と同一または類似のＰＵＳＨ型配信情報が過去に存在していた場合は、過去に存在していた同一または類似のＰＵＳＨ型配信情報に対して、当該ユーザが過去にどのような操作を行ったかという操作履歴を、図２の操作履歴情報の初見時ユーザ操作内容３４、初見時間帯３５、閲覧有無３６を抽出することによって取得する（ステップＳ３）。
【００３８】
受信時動作制御部２２は、ステップＳ３において取得した過去の操作履歴を基にして、過去の同一または類似のＰＵＳＨ型配信情報の受信時に当該ユーザが行った操作傾向を求めて、求めた操作傾向を今回受信したＰＵＳＨ型配信情報に対する受信動作として決定し、決定した受信動作を、問合せ元の配信情報受信処理部２１に対して返送する（ステップＳ４）。
【００３９】
例えば、過去の同一または類似のＰＵＳＨ型配信情報に対する当該ユーザの操作傾向として、受信した配信情報を即時に閲覧し、かつ、配信情報内にインターネットのＷＥＢサイトを示すＵＲＬ（Unique Resource Locator）情報が含まれていた場合に、該ＵＲＬ情報からブラウザなど他の機能を起動する頻度が高いという傾向であれば、今回受信したＰＵＳＨ型配信情報についても、ＰＵＳＨ型配信情報の受信の旨を液晶パネル２に即時に画面表示するとともに、バイブレーションや通知音によりユーザに対して即時に通知するという同様の受信動作を行わせるように決定する。
【００４０】
また、過去の同一または類似のＰＵＳＨ型配信情報に対する当該ユーザの操作傾向として、ＰＵＳＨ型配信情報を受信した時間帯では、当該ＰＵＳＨ型配信情報の内容を直ちに確認する動作を行わずに、別の時間帯で確認する頻度が高いという傾向であれば、今回受信したＰＵＳＨ型配信情報についても、同様の受信動作を行わせるために、ユーザに対してバイブレーションや通知音などを用いた即時の通知は行わず、待ち受け画面の未読情報表示エリア（未読メッセージ数などを表示するエリア）への表示更新のみを行うという受信動作を選択する。ここで、未読情報表示エリアへの表示更新については、あらかじめ定めた時刻に達した時点または過去の操作履歴情報から得られる時刻に達した時点で、表示更新を行うようにしても良い。
【００４１】
また、過去の同一または類似のＰＵＳＨ型配信情報に対する当該ユーザの操作傾向として、ＰＵＳＨ型配信情報に対しては何も操作を行わずに、単に受信を確認するだけであったという傾向であれば、今回受信したＰＵＳＨ型配信情報についても、同様の受信動作を行わせるように決定する。また、過去の同一または類似のＰＵＳＨ型配信情報に対する当該ユーザの操作傾向として、ＰＵＳＨ型配信情報についてはあらかじめ設定した別のフォルダへ移動したり、メッセージにタグ情報を付加していたという傾向であれば、今回受信したＰＵＳＨ型配信情報についても、同様の受信動作を行わせることとし、あらかじめ設定した別のフォルダへ移動したり、メッセージにタグ情報を付加するという受信動作を選択する。
【００４２】
なお、過去の同一または類似のＰＵＳＨ型配信情報に対する当該ユーザの操作傾向を求める方法については、如何なる方法を用いても構わない。例えば、過去のＰＵＳＨ型配信情報の種類を示すサブジェクト（タイトル）中に、今回のＰＵＳＨ型配信情報と同一または類似の文字列が含まれているか否か、また、サブジェクト（タイトル）中に今回のＰＵＳＨ型配信情報と同一または類似の文字列が含まれている過去のＰＵＳＨ型配信情報の受信時間帯が、今回のＰＵＳＨ型配信情報と同じ時間帯であるか否かに基づいて、今回のＰＵＳＨ型配信情報と同一または類似のＰＵＳＨ型配信情報であるか否かを判別するようにしても良い。さらに、今回のＰＵＳＨ型配信情報と同一または類似のＰＵＳＨ型配信情報と判別した過去のＰＵＳＨ型配信情報に対する操作内容が複数存在している場合には、操作回数が最も多い操作内容を、当該ユーザの操作傾向として求めるようにしても良いし、あるいは、今回のＰＵＳＨ型配信情報との類似度に応じて重み付けをした重み付け操作回数を用いて、重み付け操作回数が最も多い操作内容を、当該ユーザの操作傾向として求めるようにしても良い。さらには、場合によっては、当該携帯電話装置１のユーザが適宜設定を変更して、当該ユーザの操作傾向として求めるようにしても良い。
【００４３】
受信時動作制御部２２からの受信動作決定結果を受け取った配信情報受信処理部２１は、該受信動作決定結果にしたがって編集したＰＵＳＨ型配信情報の受信に関する情報の提示をＵＩ部２５に対して要求する。該情報の提示要求を受け取ったＵＩ部２５は、ＰＵＳＨ型配信情報の受信動作として決定されたユーザへの提示方法に基づいて、当該携帯電話装置１のユーザに対して、液晶パネル２の表示画面の更新やスピーカーからの音声情報の出力や、バイブレータによる携帯電話装置の振動などのいずれか１ないし複数の手段を用いて、ＰＵＳＨ型配信情報の受信に関する情報を提示する（ステップＳ５）。
【００４４】
しかる後、当該携帯電話装置１のユーザは、提示されたＰＵＳＨ型配信情報の受信に関する情報に応じて当該ユーザが決めた何らかの操作を実行する（ステップＳ６）。例えば、広告に関するＰＵＳＨ型配信情報を受信した場合であって、ユーザが当該広告に関するＷＥＢサイトを閲覧しようとする場合であれば、ブラウザを起動する動作を実行する。または、広告に関するＰＵＳＨ型配信情報を受信した場合であって、ユーザが、配信情報の内容を直ちには確認する動作を行わずに、後刻確認しようとする場合であれば、液晶パネル２の待ち受け画面の未読情報表示エリアへの表示内容を更新して終了するという動作を行う。
【００４５】
今回受信したＰＵＳＨ型配信情報に対するユーザの操作が完了すると、今回のＰＵＳＨ型配信情報を受信した際のユーザの操作内容を、図２に示したような操作履歴情報に編集して、操作履歴蓄積部２３へ追加登録する（ステップＳ７）。
【００４６】
以上のように、図１の携帯電話装置１は、配信されるＰＵＳＨ型のサービス情報（例えば、広告・通知などの情報）に対して、過去に受信した同一または類似の配信情報に対するユーザの操作履歴情報を用いることによって、膨大な量に及ぶことが多いＰＵＳＨ型配信情報に対する当該ユーザの操作傾向を把握して、ユーザへの提示方法を変化させることができ、ユーザの負担を軽減することができる。
【００４７】
なお、本発明は、本発明の趣旨を逸脱しない限り、前述の実施形態にて説明した場合のみに限るものではない。例えば、ユーザの操作履歴内容を記録する操作履歴情報としては、図２にて例示した項目に加え、ＰＵＳＨ型配信情報中に含まれているキーワード（例えば、地名、人名など）などを配信情報の種類を示す項目としてさらに登録するようにしても良いし、ＰＵＳＨ型配信情報初見時のユーザの存在場所情報（例えば、自宅、外出先、会社などの所在位置）や行動状態情報（例えば、移動中／仕事中／旅行中／在宅中／就寝中など）、さらには、ＰＵＳＨ型配信情報の活用状況（閲覧時間、閲覧回数、受信から削除までの経過時間など）などのいずれか１ないし複数の項目をユーザの状況を示す項目としてさらに登録するようにしても良い。かくのごとき操作履歴情報の項目を追加して用いることによって、ユーザにとってより望ましい形態で、ＰＵＳＨ型配信情報を当該ユーザに対して提示することができる。
【００４８】
（実施形態の効果の説明）
以上説明したように、本実施形態においては、以下に記載するような効果を得ることができる。
【００４９】
第１の効果は、ＰＵＳＨ型配信情報（広告、通知などの情報）の種類ごとに、ユーザにとっての優先度が異なるＰＵＳＨ型配信サービスにおいて、過去における同一情報または類似情報に対する当該ユーザの操作内容に応じて、ＰＵＳＨ型配信情報受信時のユーザに対する通知方法を自動的に変更することによって、ユーザの負担を軽減することができることである。
【００５０】
第２の効果は、ＰＵＳＨ型配信情報の受信時の通知方法の選定に際し、受信時の時間帯、ユーザが存在している場所、ユーザの状態などのような、ユーザが置かれている状況を加味して、ＰＵＳＨ型配信情報受信時のユーザに対する通知方法を自動的に変更することによって、ユーザの負担をより確実に軽減させることができることである。
【００５１】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。例えば、本発明の実施態様は、課題を解決するための手段における構成（１）に加えて、次のような構成として表現できる。
（２）前記操作履歴蓄積手段に蓄積する前記操作履歴情報として、前記ＰＵＳＨ型配信情報の配信元、前記ＰＵＳＨ型配信情報の種類を示すサブジェクト、前記ＰＵＳＨ型配信情報の配信時間帯、前記ＰＵＳＨ型配信情報を当該携帯端末のユーザが初見した際の操作内容、前記ＰＵＳＨ型配信情報を当該携帯端末のユーザが初見した時間帯、前記ＰＵＳＨ型配信情報の閲覧の有無、に関する項目を少なくとも含んでいる上記（１）の携帯端末。
（３）前記操作履歴蓄積手段に蓄積する前記操作履歴情報として、前記ＰＵＳＨ型配信情報に含まれるキーワード、前記ＰＵＳＨ型配信情報を当該携帯端末のユーザが初見した際のユーザの存在場所、前記ＰＵＳＨ型配信情報を当該携帯端末のユーザが初見した際のユーザの行動状態、前記ＰＵＳＨ型配信情報の当該携帯端末のユーザの活用状況、のいずれか１ないし複数の項目をさらに含んでいる上記（２）の携帯端末。
（４）前記操作履歴蓄積手段に蓄積する前記操作履歴情報を、受信した前記ＰＵＳＨ型配信情報ごとに１つずつのデータとして構成するか、または、前記ＰＵＳＨ型配信情報およびユーザの操作内容の類似性を考慮して統計処理したデータとして構成するかのいずれかである上記（１）ないし（３）のいずれかの携帯端末。
（５）前記操作履歴蓄積手段に蓄積されている前記操作履歴情報のうち、新たに受信した前記新規ＰＵＳＨ型配信情報と同一または類似のＰＵＳＨ型配信情報に対する当該携帯端末のユーザの操作内容ごとに、それぞれの操作回数を算出し、最も多い操作回数の操作内容を、当該携帯端末のユーザの前記操作傾向として取得する上記（１）ないし（４）のいずれかの携帯端末。
（６）前記操作履歴蓄積手段に蓄積されている前記操作履歴情報のうち、新たに受信した前記新規ＰＵＳＨ型配信情報と同一または類似のＰＵＳＨ型配信情報に対する当該携帯端末のユーザの操作内容ごとに、それぞれの操作回数を算出する際に、前記ＰＵＳＨ型配信情報の類似度に基づいて操作回数に重み付けを行った重み付け操作回数を算出し、前記重み付け操作回数が最も多い操作内容を、当該携帯端末のユーザの前記操作傾向として取得する上記（５）の携帯端末。
（７）前記新規ＰＵＳＨ型配信情報に関する情報の当該携帯端末のユーザに対する前記提示方法として、前記操作履歴情報に基づいて取得した前記操作傾向が、受信した前記ＰＵＳＨ型配信情報を即時に閲覧していた場合、前記新規ＰＵＳＨ型配信情報の受信を示す情報を画面表示するとともに、当該携帯端末を振動させるバイブレーションまたは通知音により前記新規ＰＵＳＨ型配信情報の受信を当該携帯端末のユーザに即時に通知する上記（１）ないし（６）のいずれかの携帯端末。
（８）前記新規ＰＵＳＨ型配信情報に関する情報の当該携帯端末のユーザに対する前記提示方法として、前記操作履歴情報に基づいて取得した前記操作傾向が、受信した前記ＰＵＳＨ型配信情報を即時に閲覧せずに後刻閲覧していた場合、待ち受け表示画面の未読情報表示エリアの表示を更新し、前記新規ＰＵＳＨ型配信情報を受信したことを表示する上記（１）ないし（７）のいずれかの携帯端末。
（９）前記新規ＰＵＳＨ型配信情報に関する情報の当該携帯端末のユーザに対する前記提示方法として、前記操作履歴情報に基づいて取得した前記操作傾向が、受信した前記ＰＵＳＨ型配信情報を直ちに削除していた場合、受信した前記新規ＰＵＳＨ型配信情報を即時に削除する上記（１）ないし（８）のいずれかの携帯端末。
（１０）ＰＵＳＨ（プッシュ）型で配信されるＰＵＳＨ型配信情報を受信してユーザに提示する携帯端末におけるＰＵＳＨ型配信情報受信方法であって、過去に受信したＰＵＳＨ型配信情報それぞれに対するユーザの操作内容を操作履歴情報として蓄積し、新たにＰＵＳＨ型配信情報を受信した際に、蓄積されている過去の前記操作履歴情報のうち、新たに受信した新規ＰＵＳＨ型配信情報と同一または類似のＰＵＳＨ型配信情報に関する操作履歴情報を抽出して、抽出した前記操作履歴情報に基づいて、当該携帯端末のユーザの操作傾向を取得し、取得した前記操作傾向にしたがって、前記新規ＰＵＳＨ型配信情報に関する情報の当該携帯端末のユーザに対する提示方法を変更するＰＵＳＨ型配信情報受信方法。
（１１）蓄積される前記操作履歴情報として、前記ＰＵＳＨ型配信情報の配信元、前記ＰＵＳＨ型配信情報の種類を示すサブジェクト、前記ＰＵＳＨ型配信情報の配信時間帯、前記ＰＵＳＨ型配信情報を当該携帯端末のユーザが初見した際の操作内容、前記ＰＵＳＨ型配信情報を当該携帯端末のユーザが初見した時間帯、前記ＰＵＳＨ型配信情報の閲覧の有無、に関する項目を少なくとも含んでいる上記（１０）のＰＵＳＨ型配信情報受信方法。
（１２）蓄積される前記操作履歴情報として、前記ＰＵＳＨ型配信情報に含まれるキーワード、前記ＰＵＳＨ型配信情報を当該携帯端末のユーザが初見した際のユーザの存在場所、前記ＰＵＳＨ型配信情報を当該携帯端末のユーザが初見した際のユーザの行動状態、前記ＰＵＳＨ型配信情報の当該携帯端末のユーザの活用状況、のいずれか１ないし複数の項目をさらに含んでいる上記（１１）のＰＵＳＨ型配信情報受信方法。
（１３）蓄積される前記操作履歴情報を、受信した前記ＰＵＳＨ型配信情報ごとに１つずつのデータとして構成するか、または、前記ＰＵＳＨ型配信情報およびユーザの操作内容の類似性を考慮して統計処理したデータとして構成するかのいずれかである上記（１０）ないし（１２）のいずれかの携帯端末。
（１４）蓄積されている前記操作履歴情報のうち、新たに受信した前記新規ＰＵＳＨ型配信情報と同一または類似のＰＵＳＨ型配信情報に対する当該携帯端末のユーザの操作内容ごとに、それぞれの操作回数を算出し、最も多い操作回数の操作内容を、当該携帯端末のユーザの前記操作傾向として取得する上記（１０）ないし（１３）のいずれかのＰＵＳＨ型配信情報受信方法。
（１５）蓄積されている前記操作履歴情報のうち、新たに受信した前記新規ＰＵＳＨ型配信情報と同一または類似のＰＵＳＨ型配信情報に対する当該携帯端末のユーザの操作内容ごとに、それぞれの操作回数を算出する際に、前記ＰＵＳＨ型配信情報の類似度に基づいて操作回数に重み付けを行った重み付け操作回数を算出し、前記重み付け操作回数が最も多い操作内容を、当該携帯端末のユーザの前記操作傾向として取得する上記（１４）のＰＵＳＨ型配信情報受信方法。
（１６）前記新規ＰＵＳＨ型配信情報に関する情報の当該携帯端末のユーザに対する前記提示方法として、前記操作履歴情報に基づいて取得した前記操作傾向が、受信した前記ＰＵＳＨ型配信情報を即時に閲覧していた場合、前記新規ＰＵＳＨ型配信情報の受信を示す情報を画面表示するとともに、当該携帯端末を振動させるバイブレーションまたは通知音により前記新規ＰＵＳＨ型配信情報の受信を当該携帯端末のユーザに即時に通知する上記（１０）ないし（１５）のいずれかのＰＵＳＨ型配信情報受信方法。
（１７）前記新規ＰＵＳＨ型配信情報に関する情報の当該携帯端末のユーザに対する前記提示方法として、前記操作履歴情報に基づいて取得した前記操作傾向が、受信した前記ＰＵＳＨ型配信情報を即時に閲覧せずに後刻閲覧していた場合、待ち受け表示画面の未読情報表示エリアの表示を更新し、前記新規ＰＵＳＨ型配信情報を受信したことを表示する上記（１０）ないし（１６）のいずれかのＰＵＳＨ型配信情報受信方法。
（１８）前記新規ＰＵＳＨ型配信情報に関する情報の当該携帯端末のユーザに対する前記提示方法として、前記操作履歴情報に基づいて取得した前記操作傾向が、受信した前記ＰＵＳＨ型配信情報を直ちに削除していた場合、受信した前記新規ＰＵＳＨ型配信情報を即時に削除する上記（１０）ないし（１７）のいずれかのＰＵＳＨ型配信情報受信方法。
（１９）上記（１０）ないし（１８）のいずれかのＰＵＳＨ型配信情報受信方法を、コンピュータによって実行可能なプログラムとして実施しているＰＵＳＨ型配信情報受信プログラム。
（２０）上記（１９）のＰＵＳＨ型配信情報受信プログラムを、コンピュータによって読み取り可能な記録媒体に記録しているプログラム記録媒体。
【符号の説明】
【００５２】
１      携帯電話装置
２      液晶パネル
３      操作キー
４      アンテナ
２１    配信情報受信処理部
２２    受信時動作制御部
２３    操作履歴蓄積部
２４    無線処理部
２５    ＵＩ部
２６    制御部
３１    配信元
３２    サブジェクト
３３    配信時間帯
３４    初見時ユーザ操作内容
３５    初見時間帯
３６    閲覧有無
４１    第１操作履歴情報
４２    第２操作履歴情報
４３    第３操作履歴情報
４４    第４操作履歴情報
４５    第５操作履歴情報
４６    第６操作履歴情報
４７    第７操作履歴情報
【図１】
2011082887.tif 000003
【図２】
2011082887.tif 000004
【図３】
2011082887.tif 000005